【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態に制御される確率に関する設定値を設定可能な設定手段と、
前記設定手段によって設定された設定値にもとづいて前記有利状態に関する制御を実行可能であり、可変表示に関する情報を保留記憶として記憶可能な遊技制御手段と、
遊技によって付与された遊技価値に関する所定情報を表示可能な所定情報表示手段と、
を備え、
前記遊技制御手段により制御され、少なくとも可変表示を行うことが可能な可変表示部を含む情報表示部を有し、
前記設定手段は、特定条件が成立したときに前記設定手段による設定値の設定を行うことが可能な設定状態に移行し、確認条件が成立したときに前記設定手段により設定されている設定値の確認を行うことが可能な確認状態に移行し、
前記情報表示部は、前記特定条件が成立し前記設定状態に移行したときに、該設定状態に移行したことを認識可能であり、可変表示が実行されているときとは異なる態様であって、すべての前記可変表示部の表示態様が統一された特殊表示を前記可変表示部において行うことが可能であり、
前記所定情報表示手段は、
前記設定状態でないときに、複数種類の期間において付与された遊技価値に関する所定情報を表示可能であり、
前記設定状態であるときに、前記設定手段により設定されている設定値を特定可能な設定値情報を表示可能であり、
前記遊技制御手段は、前記確認状態であるときに前記保留記憶を消去せず、前記設定状態であるときに前記保留記憶を消去する、
ことを特徴とする遊技機。
【請求項２】
可変表示を行い、遊技者にとって有利な有利状態に制御可能な遊技機であって、
前記有利状態に制御される確率に関する設定値を設定可能な設定手段と、
前記設定手段によって設定された設定値にもとづいて前記有利状態に関する制御を実行可能であり、可変表示に関する情報を保留記憶として記憶可能な遊技制御手段と、
遊技によって付与された遊技価値に関する所定情報を表示可能な所定情報表示手段と、
を備え、
前記遊技制御手段により制御され、少なくとも可変表示を行うことが可能な可変表示部を含む情報表示部を有し、
前記設定手段は、特定条件が成立したときに前記設定手段による設定値の設定を行うことが可能な設定状態に移行し、確認条件が成立したときに前記設定手段により設定されている設定値の確認を行うことが可能な確認状態に移行し、
前記情報表示部は、前記確認条件が成立し前記確認状態に移行したときに、該確認状態に移行したことを認識可能であり、可変表示が実行されているときとは異なる態様であって、すべての前記可変表示部の表示態様が統一された特殊表示を前記可変表示部において行うことが可能であり、
前記所定情報表示手段は、
前記確認状態でないときに、複数種類の期間において付与された遊技価値に関する所定情報を表示可能であり、
前記確認状態であるときに、前記設定手段により設定されている設定値を特定可能な設定値情報を表示可能であり、
前記遊技制御手段は、前記確認状態であるときに前記保留記憶を消去せず、前記設定状態であるときに前記保留記憶を消去する、
ことを特徴とする遊技機。
【手続補正２】
【補正対象書類名】明細書
【補正対象項目名】０００６
【補正方法】変更
【補正の内容】
【０００６】
手段Ａの遊技機は、可変表示を行い、遊技者にとって有利な有利状態に制御可能な遊技機であって、
前記有利状態に制御される確率に関する設定値を設定可能な設定手段と、
前記設定手段によって設定された設定値にもとづいて前記有利状態に関する制御を実行可能であり、可変表示に関する情報を保留記憶として記憶可能な遊技制御手段と、
遊技によって付与された遊技価値に関する所定情報を表示可能な所定情報表示手段と、
を備え、
前記遊技制御手段により制御され、少なくとも可変表示を行うことが可能な可変表示部を含む情報表示部を有し、
前記設定手段は、特定条件が成立したときに前記設定手段による設定値の設定を行うことが可能な設定状態に移行し、確認条件が成立したときに前記設定手段により設定されている設定値の確認を行うことが可能な確認状態に移行し、
前記情報表示部は、前記特定条件が成立し前記設定状態に移行したときに、該設定状態に移行したことを認識可能であり、可変表示が実行されているときとは異なる態様であって、すべての前記可変表示部の表示態様が統一された特殊表示を前記可変表示部において行うことが可能であり、
前記所定情報表示手段は、
前記設定状態でないときに、複数種類の期間において付与された遊技価値に関する所定情報を表示可能であり、
前記設定状態であるときに、前記設定手段により設定されている設定値を特定可能な設定値情報を表示可能であり、
前記遊技制御手段は、前記確認状態であるときに前記保留記憶を消去せず、前記設定状態であるときに前記保留記憶を消去する、
ことを特徴とする。
さらに、手段Ｂの遊技機は、可変表示を行い、遊技者にとって有利な有利状態に制御可能な遊技機であって、
前記有利状態に制御される確率に関する設定値を設定可能な設定手段と、
前記設定手段によって設定された設定値にもとづいて前記有利状態に関する制御を実行可能であり、可変表示に関する情報を保留記憶として記憶可能な遊技制御手段と、
遊技によって付与された遊技価値に関する所定情報を表示可能な所定情報表示手段と、
を備え、
前記遊技制御手段により制御され、少なくとも可変表示を行うことが可能な可変表示部を含む情報表示部を有し、
前記設定手段は、特定条件が成立したときに前記設定手段による設定値の設定を行うことが可能な設定状態に移行し、確認条件が成立したときに前記設定手段により設定されている設定値の確認を行うことが可能な確認状態に移行し、
前記情報表示部は、前記確認条件が成立し前記確認状態に移行したときに、該確認状態に移行したことを認識可能であり、可変表示が実行されているときとは異なる態様であって、すべての前記可変表示部の表示態様が統一された特殊表示を前記可変表示部において行うことが可能であり、
前記所定情報表示手段は、
前記確認状態でないときに、複数種類の期間において付与された遊技価値に関する所定情報を表示可能であり、
前記確認状態であるときに、前記設定手段により設定されている設定値を特定可能な設定値情報を表示可能であり、
前記遊技制御手段は、前記確認状態であるときに前記保留記憶を消去せず、前記設定状態であるときに前記保留記憶を消去する、
ことを特徴とする。
さらに、前記課題を解決するために、本発明の手段１の遊技機は、
遊技者にとって有利な有利状態（例えば、大当り遊技状態）に制御可能な遊技機（例えば、パチンコ遊技機１）であって、
前記有利状態に制御されることを示唆する示唆演出（例えば、リーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能であり（例えば図８−２（Ｄ）や図８−２（Ｆ）に示すようにリーチ演出のタイトルを表示する部分）、
前記示唆演出実行手段は、前記示唆演出として少なくとも第１示唆演出（例えばスーパーリーチＡやスーパーリーチＢのリーチ演出）と第２示唆演出（例えばスーパーリーチＤやスーパーリーチＥのリーチ演出）とを実行可能であり、
前記タイトル報知手段は、前記第２示唆演出では、当該第２示唆演出の開始時から当該第２示唆演出に対応したタイトルを報知する（例えば、８−２（Ｈ）に示すように、スーパーリーチＤのリーチ演出の開始から該スーパーリーチＤのリーチ演出に対応したタイトル３１ＡＫ００７を表示する部分）
ことを特徴としている。
この特徴によれば、示唆演出に応じたタイトルの報知を実行できるので演出効果が向上する。